(57)【特許請求の範囲】
【請求項１】
下記（１）〜（３）の要件を満足する水稲用ペースト肥料。
（１）ＡＮ／ＴＮ（質量比）＝０．３〜０．６（但し、ＡＮ及びＴＮはそれぞれ肥料公定規格に記載するアンモニア性窒素及び窒素全量を示す。）
（２）硫黄粉末（Ｓ）／ＴＮ（質量比）＝０．０３〜１．５０
（３）ＴＮとして１０質量％以上、りん酸、加里をＰ2Ｏ5、Ｋ2Ｏとしてそれぞれ８質量％以上含有し且つその合計量が３０〜４０質量％
【発明の詳細な説明】
【０００１】
【産業上の利用分野】
本発明はペースト肥料、特に水稲の初期生育に有効な水稲用ペースト肥料に関する。
【０００２】
【従来の技術】
ペースト肥料は固体肥料と液体肥料の中間的性状を有し、施肥機の開発・改良、肥料の物性改善等により、肥料が灌水された水田の土壌中の所定位置に所定量確実に施用できるようになったことから、環境保全あるいは農家の省力化要請等と相俟って水稲においてその使用量は年々増加している。
【０００３】
ところで、全国的に水稲苗の移植時期は早まる傾向にあり、一般的にペースト肥料を使用して側条施肥田植を行った場合、初期生育が促進されるといわれている。しかしながら、現在市販されているペースト肥料は、現在各地で行われているほど早期に水稲苗を移植することを考えて設計・製造された肥料ではない。従って早植えすればするほど低水温などの気象条件が水稲の生育に適さなくなり、生育が抑制されるという問題が生じている。また、ある場合には生育が停滞することさえある。このような場合、出穂時期などがずれて穂肥の適期を間違えることも起こっている。
【０００４】
市販されているペースト肥料を使用した場合、例えば通常の移植時期より１週間早く移植しても、出穂日および成熟日はほんの２〜３日程度しか早まらず、早期移植・早期収穫の利点を活かすことができない。また、請負農家にとっては、請負各水田圃場の移植時期をずらして収穫時期を分散させようとしても収穫期がほぼ同じ時期になり、移植の分散効果がなく収穫期の集中により労働負担が大きくなっている。
【０００５】
このような現状が把握されているにも拘わらず、水稲の生育を促進させるペースト肥料の開発が行われなかった主な理由は、高成分ペースト肥料を製造する場合、肥料原料として高成分のものを使用せざるを得なかったため、肥料原料が尿素（ＴＮ ４６％）、りん酸アンモニウム（Ｐ2Ｏ5 ４６〜５１％）、塩化加里（Ｋ2Ｏ ６０％以上）など何種類かに限定され、画一化されていたこと、ペースト肥料の粘度などの性状および保存中の結晶発生あるいは輸送中の相分離がないことなど特に品質が重要視されていたこと、移植時期の気象条件と作物の養分吸収等が考慮された肥料の成分比でなかったことなどである。
【０００６】
【発明が解決しようとする課題】
そこで、本発明者らは植物生理、気象条件、肥料の成分バランス、特に肥料成分に注目して種々検討を重ねた結果本発明を完成したものである。
【０００７】
【課題を解決するための手段】
即ち、本発明は下記（１）〜（３）の要件を満足する水稲用ペースト肥料に関する。
（１）ＡＮ／ＴＮ（質量比）＝０．３〜０．６（但し、ＡＮおよびＴＮはそれぞれ肥料公定規格に記載されるアンモニア性窒素及び窒素全量を示す。）
（２）硫黄粉末(Ｓ)／ＴＮ（質量比）＝０．０３〜１．５０
（３）ＴＮとして１０質量％以上、りん酸、加里をＰ2Ｏ5、Ｋ2Ｏとしてそれぞれ８質量％以上含有し且つ合計量が３０〜４０質量％
本発明の優れた効果は、気象条件が水稲の最適生育条件から少しずれていても水稲の生育を促進できることである。
【０００８】
本発明の効果発現については定かでないが、現在市販されているペースト肥料を用いて早期側条施肥田植えを行っても、低水温による根の活着の遅延などによって水稲苗の生育抑制、生育停滞が起こる。その生育抑制期間、あるいは生育停滞期間は気象条件等によって変わるが、おおよそ７〜１４日程度続く。
【０００９】
しかしながら、上記（１）〜（３）の要件を満足する肥料、即ち本発明水稲用ペースト肥料を用いると、移植時期の低水温にも拘わらず、また機械移植時の植え傷みなどがあった場合に於いても、生育が速やかに始まり炭酸同化作用によって茎葉部が充実する。そのため生育が促進され、出穂日、成熟日も早くなる。この現象は本発明水稲用ペースト肥料の成分バランスおよび選択成分が水稲の生育、特に初期生育に最も適した形になっているためと推定される。
【００１０】
【発明の実施の形態】
以下、本発明について詳記する。
本発明水稲用ペースト肥料の製造に使用する窒素、りん酸、加里、その他の原料としては、特に制限されるものではなく、通常肥料原料として利用されるものを使用することができる。例えば、塩安、硫安、硝安、りん安、尿素、りん酸、硫酸加里、塩化加里、苛性加里、硫酸苦土、骨粉、各種発酵廃液、油粕などである。また、これらとともに必要に応じて、硼素、マンガン、鉄などの微量要素を使用することもできる。
【００１１】
次に本発明水稲用ペースト肥料の製造方法について言えば、周知の各種ペースト肥料の製造方法を踏襲すれば良く、格別変わるところはない。例えば反応槽に水と所望成分濃度になるように窒素、りん酸、加里原料および硫黄粉末を投入する。硫黄粉末としては、粉末硫黄またはこれを水に分散しゾル化した市販の硫黄ゾルを使用することができる。また、必要に応じ微量要素を投入する。
【００１２】
次いで、よく撹拌し、望ましくは湿式粉砕する。湿式粉砕に際しては、通常のボールミル等を使用すればよい。ペースト肥料の粘度調節剤あるいは相分離防止剤として、澱粉、糖蜜、アルコール発酵副産物、ベントナイト、ＣＭＣ、ポリエチレングリコールなどを使用することもできる。尚、本発明の対象とするペースト肥料の粘度は特に限定されないが、一般的に言えば３００〜３０００ｃｐである。
【００１３】
さて、次に、本発明の骨子である水稲用ペースト肥料の製品組成について言えば、
（１）ＡＮ／ＴＮ（質量比）＝０．３〜０．６（但し、ＡＮ及びＴＮはそれぞれ肥料公定規格に記載するアンモニア性窒素及び窒素全量を示す。）
（２）硫黄粉末(Ｓ)／ＴＮ（質量比）＝０．０３〜１．５０
（３）ＴＮとして１０質量％以上、りん酸、加里をＰ2Ｏ5、Ｋ2Ｏとしてそれぞれ８質量％以上含有し且つその合計量が３０〜４０質量％
であることである。即ち、上記の範囲から逸脱すると水稲の生育を促進する効果を期待できない。
【００１４】
以上詳記したような方法により、本発明によれば極めて容易に、また極めて経済的に水稲の生育促進をはかることができる。
【００１５】
【実施例】
以下に本発明の実施例を掲げて更に説明するが、特に断らない限り、％は全て質量％を示す。
【００１６】
（実施例１〜４、比較例１〜２）
所定量の水に略下表１の製品分析値となるように尿素、硫黄粉末、塩安、りん安、りん酸、塩加、苛性加里、アミノ酸発酵廃液を加え、よく撹拌した後、ボールミルを用いて湿式粉砕し、表１の各種ペースト肥料を製造した。このペースト肥料を水稲の栽培試験に使用した。尚、水稲苗移植には、側条ペースト肥料施肥田植機を使用した。施肥量は窒素として３．０ｋｇ／１０ａとした。表１にペースト肥料製品分析値を、表２、表３に水稲の生育状態の調査結果を示す。
１．水稲栽培条件
品  種：キヌヒカリ
移植日：４月２５日
追  肥：出穂２０日前と１０日前に実施例、比較例のどちらも窒素として２ｋｇ（／１０ａ）の肥料を追肥として施用した。
なお、草丈、茎数は２０株平均の数値とした。
【００１７】
【表１】
0004008751.tif 000002
【００１８】
【表２】
0004008751.tif 000003
【００１９】
【表３】
0004008751.tif 000004
【００２０】
表１の結果から明らかなように、比較例１においてはＡＮ／ＴＮ比が本発明の範囲を逸脱しており、比較例２においては硫黄粉末の含有量が少ないため、いずれも水稲の出穂日および成熟期が遅れてしまう結果となった。
これに対し、本発明のペースト肥料に於いては水稲の出穂日および成熟期を早めることができる。
【００２１】
【発明の効果】
本発明ペースト肥料は、現在市販されているペースト肥料に比べて初期生育が促進され出穂日、成熟日も早くなるという優れた効果を有する。